(57)【要約】【課題】光ビームおよび回転多面鏡を有効に活用し、効率的に走査媒体を走査することができるとともに、装置を小型且つ安価に構成する。【解決手段】ポリゴン６２の回転角度に応じて、レーザダイオード５０から射出されたレーザビームＢの偏向面をファラデー素子５４によって旋回させ、Ｓ偏向またはＰ偏向とされたレーザビームＢを偏光ビームスプリッタ５６に導く。偏光ビームスプリッタ５６は、偏向面の方向によって選択した第１導光部５８または第２導光部６０にレーザビームＢを導き、第１方向または第２方向からポリゴン６２に入射させる。ポリゴン６２は、入射したレーザビームＢを反射面６６ａ〜６６ｆによって反射偏向し、走査レンズ６４を介して走査媒体を走査する。【選択図】図２
2004198806.tif 000002
【特許請求の範囲】
【請求項１】
光源から射出された光ビームを回転多面鏡を介して走査媒体に導いて走査する光ビーム走査装置において、
第１方向から前記光ビームを前記回転多面鏡に導く第１導光部と、
前記第１方向と異なる第２方向から前記光ビームを前記回転多面鏡に導く第２導光部と、
前記回転多面鏡の回転角度に従い、前記第１導光部または前記第２導光部のいずれか一方を選択して前記光ビームを前記回転多面鏡に導く導光部選択部と、
を備えることを特徴とする光ビーム走査装置。
【請求項２】
請求項１記載の装置において、
前記導光部選択部は、
前記回転多面鏡の回転角度に従い、前記光ビームの偏光面の方向を制御する偏光面制御部と、
前記光ビームの偏光面の方向に応じて、前記光ビームを前記第１導光部または前記第２導光部に導入する偏光ビームスプリッタと、
を備えることを特徴とする光ビーム走査装置。
【請求項３】
請求項１記載の装置において、
前記導光部選択部は、
前記回転多面鏡の回転角度に従い、前記光ビームを前記第１導光部または前記第２導光部のいずれか一方に導入する可動ミラーを備えることを特徴とする光ビーム走査装置。
【請求項４】
請求項１記載の装置において、
前記第１導光部および前記第２導光部に独立に前記光ビームを導く２つの前記光源を備え、
前記導光部選択部は、
前記回転多面鏡の回転角度に従い、前記２つの光源のいずれか一方を選択して駆動する光源制御部を備えることを特徴とする光ビーム走査装置。
【発明の詳細な説明】
【０００１】
【発明の属する技術分野】
本発明は、光源から射出された光ビームを回転多面鏡を介して走査媒体に導いて走査する光ビーム走査装置に関する。
【０００２】
【従来の技術】
例えば、光ビームにより走査媒体を主走査する一方、走査媒体を副走査方向に搬送させることにより、前記走査媒体に所望の画像を記録し、あるいは、走査媒体に記録された画像を読み取る光ビーム走査装置が種々の分野において利用されている。
【０００３】
この場合、走査媒体を高速に主走査するため、回転多面鏡を用いて光ビームを反射偏向させるものが知られている（特許文献１参照）。
【０００４】
図１３は、回転多面鏡２を用いた光ビーム走査装置の説明図である。矢印Ｚ方向に回転する回転多面鏡２の反射面４ａ〜４ｆの１つにより反射偏向された光ビームＬは、光ビームＬの走査速度を一定に制御するｆθレンズ６を介して記録媒体８を矢印Ｘ方向に主走査する。
【０００５】
【特許文献１】
特許第２７３９３４８号公報（第１図）
【０００６】
【発明が解決しようとする課題】
ところで、所望の画像を記録し、あるいは、読み取るためには、所定のビーム径ｄからなる所定光量の光ビームＬを記録媒体８に導く必要がある。この場合、例えば、反射面４ａから反射面４ｂに完全に切り替わる回転角度δの間、光ビームＬが双方の反射面４ａおよび４ｂに跨るため、記録媒体８に光ビームＬを正しく集光させることができない。従って、この間、画像の記録または読み取りを行うことができない。
【０００７】
一方、反射面４ａ〜４ｆが正六角形の各辺に配置され、光ビームＬのビーム径ｄを０と仮定した場合、各反射面４ａ〜４ｆの全面を有効に活用して光ビームＬを記録媒体８に導くためには、１２０゜の走査角度に対応したｆθレンズ６が必要となる。ビーム径ｄによる走査できない範囲を考慮したとしても、１２０゜−δの走査角度に対応したｆθレンズ６が必要である。このような広角のｆθレンズ６は、構成が複雑になったり、高い屈折率材料を必要としたり、あるいは、大型化するといった問題がある。
【０００８】
本発明は、前記の不具合を解消するためになされたものであって、光ビームおよび回転多面鏡を有効に活用し、効率的に走査媒体を走査することができるとともに、装置を小型且つ安価に構成することが可能な光ビーム走査装置を提供することを目的とする。
【０００９】
【課題を解決するための手段】
本発明の光ビーム走査装置は、光源から射出された光ビームを第１方向から第１導光部を介して回転多面鏡に導き、反射偏向して走査媒体を走査した後、回転多面鏡の回転角度に従い、導光部選択部により第２導光部を選択し、光ビームを第２方向から前記第２導光部を介して回転多面鏡に導き、反射偏向して走査媒体を走査する。このように、回転多面鏡の回転角度に従って第１導光部および第２導光部を切り替えることにより、光ビームのビーム径によらず、回転多面鏡の反射面を有効に活用して光ビームを走査媒体に導くことができる。また、光ビームを異なる２方向から選択的に回転多面鏡に導くため、回転多面鏡による光ビームの偏向範囲を小さくすることができる。従って、回転多面鏡と走査媒体との間に配設される光学素子を小型化することができる。
【００１０】
なお、回転多面鏡の回転角度に応じ、偏光面制御部によって光ビームの偏光面の方向を制御して偏光ビームスプリッタに導くことにより、光ビームを第１導光部または第２導光部のいずれか一方に導入することができる。
【００１１】
また、可動ミラーによって第１導光部または第２導光部のいずれか一方を選択して光ビームを導入するようにしてもよい。さらに、２つの光源から第１導光部および第２導光部に独立に光ビームを導くように構成し、光源制御部により各光源を回転多面鏡の回転角度に従って選択的に制御するようにしてもよい。
【００１２】
【発明の実施の形態】
図１は、本発明の光ビーム走査装置が適用される放射線画像読取装置１０の構成図である。この放射線画像読取装置１０では、蓄積性蛍光体シート１６（走査媒体）に蓄積記録された放射線画像情報の読み取りが行われる。
【００１３】
ここで、蓄積性蛍光体シート１６とは、例えば、放射線（Ｘ線、α線、β線、γ線、電子線、紫外線等）を照射すると、この放射線エネルギの一部を蓄積し、その後、可視光やレーザ光等の励起光を照射すると、蓄積されたエネルギ強度に応じて輝尽発光を示す蓄積性蛍光体（輝尽性蛍光体）からなる記録層を有したものである。この蓄積性蛍光体シート１６を利用して、人体等の被写体の放射線画像情報を記録した後、励起光を照射して得られる輝尽発光光を光電的に読み取って得られた画像信号を写真感光材料等の記録媒体、ＣＲＴ等に被写体の放射線可視画像として出力させる放射線画像情報処理システムが知られている。
【００１４】
放射線画像読取装置１０は、ケーシング１２の上部にカセッテ装填部１４を備え、このカセッテ装填部１４に対して、放射線画像情報が蓄積記録された蓄積性蛍光体シート１６を収納したカセッテ１８が装填される。カセッテ１８は、蓄積性蛍光体シート１６を出入するための蓋部材２４を有する。また、ケーシング１２の底部には、搬入、搬出を容易にするためのキャスタ２０が配設される。
【００１５】
カセッテ装填部１４に装填されたカセッテ１８の蓋部材２４の近傍には、カセッテ１８より蓄積性蛍光体シート１６を吸着して取り出す吸着盤２６と、吸着盤２６によって取り出された蓄積性蛍光体シート１６を挟持搬送するニップローラ２８とが配設される。ニップローラ２８に連設し、複数の搬送ローラ３０ａ〜３０ｇおよび複数のガイド板３２ａ〜３２ｈを有する湾曲した搬送機構３４が配設される。搬送機構３４は、カセッテ１８から供給された蓄積性蛍光体シート１６を所望の部位に搬送する。
【００１６】
放射線画像読取装置１０の略中央部には、励起光であるレーザビームＢを射出して蓄積性蛍光体シート１６を走査する走査ユニット３６が配設される。なお、走査ユニット３６から射出されたレーザビームＢは、搬送機構３４を構成する搬送ローラ３０ｄ、３０ｅ間より蓄積性蛍光体シート１６に照射される。また、走査ユニット３６に近接して読取ユニット３８が配設される。読取ユニット３８は、一端部が搬送ローラ３０ｄ、３０ｅ間の蓄積性蛍光体シート１６に近接して配置される集光ガイド４０と、集光ガイド４０の他端部に連結され、蓄積性蛍光体シート１６から得られた輝尽発光光Ｒ（図３参照）を電気信号に変換するフォトマルチプライア４２とから構成される。
【００１７】
さらに、ニップローラ２８と搬送機構３４を構成する搬送ローラ３０ａとの間には、放射線画像情報の読み取られた蓄積性蛍光体シート１６に残存する放射線エネルギを除去する消去ユニット４６が配設される。消去ユニット４６は、ハロゲンランプ等からなる複数の消去光源４８を有する。
【００１８】
図２は、走査ユニット３６を構成する光学系を示す。走査ユニット３６は、励起光であるレーザビームＢを射出するレーザダイオード５０（光源）と、レーザダイオード５０から射出されたレーザビームＢを平行光束とするコリメータ５２と、レーザビームＢの偏光面の方向を制御するファラデー素子５４（偏光面制御部）と、ファラデー素子５４を透過したレーザビームＢをその偏光面に従って反射あるいは透過させる偏光ビームスプリッタ５６と、偏光ビームスプリッタ５６によって反射されたレーザビームＢが導かれる第１導光部５８と、偏光ビームスプリッタ５６を透過したレーザビームＢが導かれる第２導光部６０と、第１導光部５８および第２導光部６０からのレーザビームＢを反射偏向するポリゴン６２（回転多面鏡）と、ポリゴン６２によって反射されたレーザビームＢの蓄積性蛍光体シート１６上での走査速度を一定に制御する走査レンズ６４とを備える。なお、ポリゴン６２によるレーザビームＢの走査域の端部には、レーザビームＢの蓄積性蛍光体シート１６に対する走査開始タイミングを制御するための始点検出センサ６５が配設される。
【００１９】
ポリゴン６２は、正六角形を構成する位置に配置された６枚の反射面６６ａ〜６６ｆを有し、これらの反射面６６ａ〜６６ｆをポリゴンモータ６８によって矢印Ｚ方向に回転させる。第１導光部５８は、偏光ビームスプリッタ５６によって反射されたレーザビームＢを反射し、第１方向からポリゴン６２の反射面６６ａ〜６６ｆに導く反射ミラー７０、７２と、ポリゴン６２の反射面６６ａ〜６６ｆの面倒れを補正するシリンドリカルレンズ７４とから構成される。また、第２導光部６０は、偏光ビームスプリッタ５６を透過したレーザビームＢを反射し、第２方向からポリゴン６２の反射面６６ａ〜６６ｆに導く反射ミラー７６と、ポリゴン６２の反射面６６ａ〜６６ｆの面倒れを補正するシリンドリカルレンズ７８とから構成される。
【００２０】
図３は、走査ユニット３６の制御回路８０を示す。制御回路８０は、レーザダイオード５０を制御するレーザドライバ８２と、ファラデー素子５４を制御するファラデー素子ドライバ８４と、ポリゴンモータ６８を制御するポリゴンモータドライバ８６とを備える。また、ポリゴンモータ６８には、ポリゴン６２の回転角度を検出するエンコーダ６９が接続される。制御部８８は、始点検出センサ６５およびエンコーダ６９からの信号に基づき、レーザドライバ８２、ファラデー素子ドライバ８４、ポリゴンモータドライバ８６およびフォトマルチプライア４２を制御する。
【００２１】
本実施形態の放射線画像読取装置１０は、基本的には以上のように構成されるものであり、次にその動作について説明する。
【００２２】
先ず、放射線画像情報の記録された蓄積性蛍光体シート１６を収納したカセッテ１８を蓋部材２４側を下方向とした状態で放射線画像読取装置１０のカセッテ装填部１４に装填する。カセッテ１８がカセッテ装填部１４に装填されると、図示しない開蓋機構が駆動され、カセッテ１８の蓋部材２４が開蓋される。
【００２３】
次に、吸着盤２６がカセッテ１８内の蓄積性蛍光体シート１６を吸着枚葉し、ニップローラ２８に供給する。ニップローラ２８は、蓄積性蛍光体シート１６を搬送機構３４に供給する。搬送機構３４は、搬送ローラ３０ａ〜３０ｇを駆動し、蓄積性蛍光体シート１６をガイド板３２ａ〜３２ｈに沿って搬送する。
【００２４】
蓄積性蛍光体シート１６は、搬送ローラ３０ｄ、３０ｅ間で副走査搬送されるとともに、走査ユニット３６から射出された励起光であるレーザビームＢが副走査方向と直交する主走査方向に蓄積性蛍光体シート１６を走査する。レーザビームＢが照射された蓄積性蛍光体シート１６は、蓄積記録されている放射線画像情報に応じた輝尽発光光Ｒ（図３参照）を出力する。この輝尽発光光Ｒは、蓄積性蛍光体シート１６の主走査方向に沿って近接配置された集光ガイド４０を介して読取ユニット３８を構成するフォトマルチプライア４２に導かれ、電気信号に変換される。制御部８８は、電気信号である画像信号を処理して外部の画像処理装置に転送する。なお、画像信号が転送された画像処理装置は、所望の画像処理を施した後、必要に応じて表示し、あるいは、記録媒体に出力することができる。
【００２５】
放射線画像情報の読み取られた蓄積性蛍光体シート１６は、搬送ローラ３０ｇ側まで搬送された後、逆送されることにより消去ユニット４６まで搬送される。蓄積性蛍光体シート１６が消去ユニット４６に到達すると、消去光源４８が点灯し、射出された消去光が蓄積性蛍光体シート１６に照射されることで、残存する放射線画像情報が除去される。次いで、蓄積性蛍光体シート１６は、ニップローラ２８および吸着盤２６によってカセッテ１８に収納された後、次の放射線画像情報の記録に供される。
【００２６】
次に、走査ユニット３６による放射線画像情報の読取処理について、図４に示すタイミングチャートと、図５〜図１０に示す動作説明図とに基づき詳細に説明する。なお、以下の説明では、ポリゴン６２の反射面６６ａ〜６６ｆが図５の状態にあり、レーザビームＢが走査レンズ６４の光軸６７を基準として偏光角度θ＝−３０゜に設定されているとき、エンコーダ６９がポリゴン６２の回転角度φ＝０゜を検出するものとする。また、レーザビームＢのビーム径は、無視できるものとして説明する。
【００２７】
そこで、制御部８８がレーザドライバ８２を制御し、レーザダイオード５０を駆動する。レーザダイオード５０から射出されたＰ偏光からなるレーザビームＢは、コリメータ５２によって平行光束とされた後、ファラデー素子５４に入射する。一方、制御部８８は、エンコーダ６９がポリゴン６２の回転角度φ＝０゜を検出したとき、ファラデー素子ドライバ８４に供給されるファラデー素子駆動信号をＯＮとし、ファラデー素子５４に所定の磁界を掛ける。このとき、ファラデー素子５４は、入射したレーザビームＢの偏光面を旋回し、Ｓ偏光のレーザビームＢを偏光ビームスプリッタ５６に導入する。
【００２８】
偏光ビームスプリッタ５６は、Ｓ偏光のレーザビームＢを反射して第１導光部５８に導く。第１導光部５８は、導入されたレーザビームＢを反射ミラー７０によって反射した後、シリンドリカルレンズ７４により図５の紙面と直交する方向に対するレーザビームＢの光軸方向を調整し、反射ミラー７２を介してレーザビームＢをポリゴン６２の反射面６６ａに導く。
【００２９】
レーザビームＢが導入されたポリゴン６２は、図５に示すように、反射面６６ａによってレーザビームＢを光軸６７に対する偏向角度θ＝−３０゜の方向に反射偏向し、走査レンズ６４を介して始点検出センサ６５に導く。始点検出センサ６５がレーザビームＢを検出すると、制御部８８は、フォトマルチプライア４２を駆動し、蓄積性蛍光体シート１６にレーザビームＢが照射されることで得られる放射線画像情報に係る輝尽発光光Ｒの読み取りを開始する。
【００３０】
前記の状態から、ポリゴン６２が矢印Ｚ方向に回転角度φ＝０゜からφ＝１５゜まで回転すると（図６）、レーザビームＢは、反射面６６ａによって偏向角度θ＝−３０゜からθ＝０゜まで偏向する。
【００３１】
次いで、ポリゴン６２が矢印Ｚ方向に回転角度φ＝３０゜まで回転し（図７）、レーザビームＢが反射面６６ａによって偏向角度θ＝＋３０゜まで偏向すると、エンコーダ６９がポリゴン６２の回転角度φ＝３０゜を検出する。このとき、制御部８８は、ファラデー素子ドライバ８４に供給されるファラデー素子駆動信号をＯＦＦとする。ファラデー素子駆動信号がＯＦＦになると、ファラデー素子５４に対する磁界が消滅し、ファラデー素子５４は、入射したレーザビームＢをＰ偏光のレーザビームＢとして偏光ビームスプリッタ５６に導入する。なお、レーザダイオード５０から射出されるレーザビームＢの偏向面の方向によっては、ファラデー素子駆動信号をＯＮ／ＯＦＦする代わりに、ファラデー素子５４に掛ける磁界の強さを変えてレーザビームＢの偏向面を切り替えるようにしてもよい。
【００３２】
Ｐ偏向のレーザビームＢは、偏光ビームスプリッタ５６を透過して第２導光部６０に導かれる。第２導光部６０は、導入されたレーザビームＢの光軸方向をシリンドリカルレンズ７８によって調整した後、反射ミラー７６を介してレーザビームＢをポリゴン６２の反射面６６ｆに導く。
【００３３】
このとき、第２導光部６０からポリゴン６２に導入されるレーザビームＢは、第１導光部５８からポリゴン６２に導入されるレーザビームＢに対して、ポリゴン６２の回転方向に１８０゜異なる方向から導入されるように設定されている。また、反射面６６ｆは、反射面６６ａに対してポリゴン６２の回転方向に１２０゜傾斜しており、また、反射面６６ｆにレーザビームＢが入射したときのポリゴン６２の回転角度φは、３０゜である。従って、ポリゴン６２の反射面６６ｆによって反射されたレーザビームＢは、図８に示すように、光軸６７に対する偏向角度θ＝−３０゜の方向に偏向され、走査レンズ６４を介して始点検出センサ６５に導かれる。
【００３４】
以下、反射面６６ａによる場合と同様に、ポリゴン６２が矢印Ｚ方向に回転角度φ＝３０゜からφ＝４５゜まで回転すると（図９）、レーザビームＢは、反射面６６ｆによって偏向角度θ＝−３０゜からθ＝０゜まで偏向する。次いで、ポリゴン６２が回転角度φ＝４５゜からφ＝６０゜まで回転すると（図１０）、レーザビームＢは、反射面６６ｆによって偏向角度θ＝０゜からθ＝＋３０゜まで偏向する。この間、制御部８８は、フォトマルチプライア４２を駆動して画像信号を取得する。
【００３５】
制御部８８は、同様にしてファラデー素子ドライバ８４を駆動し、ポリゴン６２が回転角度φ＝３０゜回転する毎に第１導光部５８および第２導光部６０を切り替え、レーザビームＢの偏向角度θを−３０゜から＋３０゜の６０゜の範囲で偏向させることにより、蓄積性蛍光体シート１６を走査し、記録された放射線画像情報の読み取りを行う。
【００３６】
ここで、ポリゴン６２を構成する反射面６６ａ〜６６ｆを正六角形の各辺に配置した場合、一方向のみからレーザビームＢを導入して走査レンズ６４に導く場合と比較すると（図１３参照）、反射偏向されるレーザビームＢの偏向角度θの範囲を１／２の６０゜とすることができる。従って、ポリゴン６２の下流側に配設される走査レンズ６４は、第２導光部６０゜の範囲に対応した大きさとすればよく、その分、小型で安価に構成することができる。
【００３７】
また、レーザビームＢのビーム径が無視できない場合、例えば、第１導光部５８からポリゴン６２に導かれたレーザビームＢが反射面６６ａ〜６６ｆの境界で分断される直前に、第２導光部６０からポリゴン６２の反射面６６ａ〜６６ｆにレーザビームＢを導くよう、ファラデー素子駆動信号のＯＮ／ＯＦＦのタイミングを制御することにより、レーザビームＢを反射面６６ａ〜６６ｆの境界で分断することなく、連続的に蓄積性蛍光体シート１６に導くことができる。従って、効率的に放射線画像情報の読取処理を行うことができる。
【００３８】
図１１は、他の実施形態に係る走査ユニット９０の構成を示す。なお、図２に示す走査ユニット３６と同一の構成要素には、同一の参照符号を付し、その詳細な説明は省略する。
【００３９】
走査ユニット９０は、走査ユニット３６を構成するファラデー素子５４および偏光ビームスプリッタ５６に代えて、可動ミラー９２を配設して構成される。なお、第２導光部９４は、反射ミラー９６、シリンドリカルレンズ７８および反射ミラー７６からなる。この場合、ポリゴン６２の回転角度に従って可動ミラー９２の向きを変えることにより、レーザビームＢを第１導光部５８または第２導光部９４を介して異なる２方向から選択的にポリゴン６２に導くことができる。
【００４０】
図１２は、さらに他の実施形態に係る走査ユニット９８の構成を示す。なお、図２に示す走査ユニット３６と同一の構成要素には、同一の参照符号を付し、その詳細な説明は省略する。
【００４１】
走査ユニット９８は、２つの光源であるレーザダイオード１００および１０２を備え、これらのレーザダイオード１００および１０２を、レーザ切替器１０４（光源制御部）により切り替えるように構成される。レーザダイオード１００から射出されるレーザビームＢの光路上には、第１導光部を構成するコリメータ１０６、シリンドリカルレンズ１０８および反射ミラー１１０が順に配設される。また、レーザダイオード１０２から射出されるレーザビームＢの光路上には、第２導光部を構成するコリメータ１１２、シリンドリカルレンズ１１４および反射ミラー１１６が順に配設される。この場合、ポリゴン６２の回転角度に従ってレーザ切替器１０４を制御してレーザダイオード１００および１０２を切り替えることにより、レーザビームＢを異なる２方向から選択的にポリゴン６２に導くことができる。
【００４２】
なお、上述した実施形態では、走査媒体を光ビームで走査することにより、走査媒体に記録された画像情報を読み取る場合について説明したが、画像情報に従って制御される光ビームを走査媒体に導き、走査媒体に画像情報を記録する場合にも適用することができる。
【００４３】
【発明の効果】
以上のように、本発明によれば、回転多面鏡の回転角度に対応させ、回転多面鏡に異なる２方向から光ビームを選択的に導き、反射偏向された光ビームにより走査媒体を走査することで、回転多面鏡を構成する反射面間で光ビームを走査できない事態を回避し、走査媒体を効率的に走査することができる。
【００４４】
また、光ビームを異なる２方向から回転多面鏡に選択的に導くため、各反射面による光ビームの偏向範囲を小さくすることができる。従って、回転多面鏡と走査媒体との間に配設される光学素子の小型化を招来してコストが低減されるとともに、装置全体の小型化にも寄与する。
【図面の簡単な説明】
【図１】本実施形態の放射線画像読取装置の構成図である。
【図２】図１に示す放射線画像読取装置における走査ユニットの構成図である。
【図３】図１に示す放射線画像読取装置の制御回路のブロック図である。
【図４】図２に示す走査ユニットの動作のタイミングチャートである。
【図５】図２に示す走査ユニットにおいて、第１導光部を介して記録媒体に光ビームを導く状態（偏向角度θ＝−３０゜）の説明図である。
【図６】図２に示す走査ユニットにおいて、第１導光部を介して記録媒体に光ビームを導く状態（偏向角度θ＝０゜）の説明図である。
【図７】図２に示す走査ユニットにおいて、第１導光部を介して記録媒体に光ビームを導く状態（偏向角度θ＝＋３０゜）の説明図である。
【図８】図２に示す走査ユニットにおいて、第２導光部を介して記録媒体に光ビームを導く状態（偏向角度θ＝−３０゜）の説明図である。
【図９】図２に示す走査ユニットにおいて、第２導光部を介して記録媒体に光ビームを導く状態（偏向角度θ＝０゜）の説明図である。
【図１０】図２に示す走査ユニットにおいて、第２導光部を介して記録媒体に光ビームを導く状態（偏向角度θ＝＋３０゜）の説明図である。
【図１１】図２に示す走査ユニットの他の実施形態の構成図である。
【図１２】図２に示す走査ユニットのさらに他の実施形態の構成図である。
【図１３】従来技術に係る光ビーム走査装置の構成図である。
【符号の説明】
１０…放射線画像読取装置        １６…蓄積性蛍光体シート
３６、９０、９８…走査ユニット  ３８…読取ユニット
４２…フォトマルチプライア      ５０、１００、１０２…レーザダイオード
５４…ファラデー素子            ５６…偏光ビームスプリッタ
５８…第１導光部                ６０…第２導光部
６２…ポリゴン                  ６４…走査レンズ
９２…可動ミラー                １０４…レーザ切替器
Ｂ…レーザビーム
【図１】
2004198806.tif 000003
【図２】
2004198806.tif 000004
【図３】
2004198806.tif 000005
【図４】
2004198806.tif 000006
【図５】
2004198806.tif 000007
【図６】
2004198806.tif 000008
【図７】
2004198806.tif 000009
【図８】
2004198806.tif 000010
【図９】
2004198806.tif 000011
【図１０】
2004198806.tif 000012
【図１１】
2004198806.tif 000013
【図１２】
2004198806.tif 000014
【図１３】
2004198806.tif 000015